(57)【要約】【課題】ラジエータを加え付けた後、電気的に導通の作動状態を便利に識別できるゼロ挿入力ソケットコネクタの提供。【解決手段】ゼロ挿入力ソケットコネクタは、ベースと、カバーと、複数の導電端子と、駆動装置及び状態表示具を含む。前記ベースは互いに分離されてその中を貫通した端子収容穴が設けられ、前記カバーはベースに摺動可能に組付けられ、前記複数のスルーホールはその中を貫通してそれぞれベースの端子収容穴に位置合せ、前記駆動装置はカバーを駆動してベースに対し移動させ、前記状態表示具はコネクタに駆動装置を設けた同一側に組付けられ、この駆動装置と連動の可能に構成し、少なくとも駆動装置の連動によりソケットコネクタのカバーの辺縁を突出できた延伸部を含む。【選択図】　　　図２
2004139760.tif 000002
【特許請求の範囲】
【請求項１】
中央処理装置のチップピンとプリントボードの回路を電気的に接続させるために、中央処理装置チップを搭載してプリントボードに接合されたゼロ挿入力ソケットコネクタであって、
本体を有し、該本体に互いに分離しその中を貫通した複数の端子収容穴を設けたベースと、
前記ベースの対応した端子収容穴の内部に組付けられ、チップの導電部に接続するための複数の導電端子と、
前記ベースに摺動可能に組付けられ、本体を有し、複数のスルーホールが前記本体中を垂直に貫通して前記ベースに設けられた端子収容穴とそれぞれ位置合せられたカバーと、
前記ベースの面方向にカバーの移動を駆動するために用いられ、前記チップピンと導電端子を互いに離脱した第１位置と、前記チップピンと導電端子を電気的接触した第２位置との間でカバーを移動する駆動装置と、
前記駆動装置に設けられ、前記カバーの辺縁を選択的に突出した延伸部を含み、かつ当該延伸部がカバーの辺縁の外部に突出する場合、前記カバーの第１位置または第２位置のいずれかを表示する状態表示具と、を少なくとも備えることを特徴とするゼロ挿入力ソケットコネクタ。
【請求項２】
前記ベースの一端部には、プラットホームが延設され、該プラットホームの中間部に略だ円柱状に形成されたベースホールが設けられたことを特徴とする請求項１に記載のゼロ挿入力ソケットコネクタ。
【請求項３】
ベースのプラットフォームに対応したカバーの一端部には、フランジが延設され、該フランジの中間部に円柱形スロットが設けられ、該スロットの下方に直径がスロットより小さく、前記ベースホールと対応し連通されたカバーホールが設けられることを特徴とする請求項２に記載のゼロ挿入力ソケットコネクタ。
【請求項４】
前記フランジの一角部に一部を削って、その底面と前記スロットの下表面が同一平面に位置され、且つ互いに連通した第一凹部が形成され、前記フランジの上表面と第一凹部の底面間はそれぞれ壁により接続され、壁のスロットの溝壁の一側に切欠が形成されたことを特徴とする請求項３に記載のゼロ挿入力ソケットコネクタ。
【請求項５】
前記駆動装置は、第１柱体、第２柱体、第３柱体及び第４柱体を含むことを特徴とする請求項１に記載のゼロ挿入力ソケットコネクタ。
【請求項６】
前記第１柱体は第２柱体と共軸に設置され、前記第３柱体は第４柱体と共軸に設置され、前記第３柱体と第２柱体の間は偏心に設置されたことを特徴とする請求項５に記載のゼロ挿入力ソケットコネクタ。
【請求項７】
第１柱体の一側に突部が設けられ、該突部の上端が第１柱体の上面に整列され、その高さが第１柱体の高さより大きく形成されたことを特徴とする請求項６に記載のゼロ挿入力ソケットコネクタ。
【請求項８】
前記状態表示具の延伸部は、環形のスペーサの一側から延出され、該スペーサが前記カバーのスロット中に収容されたことを特徴とする請求項１に記載のゼロ挿入力ソケットコネクタ。
【請求項９】
前記スペーサは、一部が削られてセクタ切欠を形成し、前記駆動装置の突部が該切欠中に設置されて前記状態表示具の回転を駆動することを特徴とする請求項８に記載のゼロ挿入力ソケットコネクタ。
【請求項１０】
前記スペーサの外側に、接続部が一体に延出され、該接続部の末端部から上方へ折り曲がって延伸部が形成され、該接続部の両側からそれぞれ垂直に上方へ狭い第一押圧部及び第１押圧部より広い第二押圧部が延出され、別々に前記切欠及び壁に押圧されることを特徴とする請求項９に記載のゼロ挿入力ソケットコネクタ。
【発明の詳細な説明】
【０００１】
【発明の属する技術分野】
本発明は一種のゼロ挿入力ソケットコネクタに関し、特に作動状態のレコグニションユニットを有するゼロ挿入力ソケットコネクタに関するものである。
【０００２】
【従来の技術】
従来の技術の中央処理裝置（ＣＰＵ）チップを挿入するためのゼロ挿入力ソケットコネクタの構造は、２０００年５月１０日発行の特許文献１に開示されているが、図１を参照して説明する。
【０００３】
【特許文献１】
中国特許第２３７７７２０号公報
【０００４】
当該電気コネクタはベース５、カバー６、端子（図示せず）及び駆動具７などを含む。前記ベース５は上、下表面を貫通し端子を収容するための複数の端子孔５１を有し、該ベース５の一端部にベースホール５２が設けられる。前記カバー６はベース５の上表面に対応し覆設され、かつベース５に相対して適切に摺動可能になり、該カバー６はベース５のベースホール５２に対応しカバーホール６２が設けられ、ベース５の端子孔５１に対応し複数のスルーホール６１が設けられたことによって、チップを実装する場合にピンが貫通し、さらに端子孔内に伸ばして適宜に端子と圧接することにする。駆動作用を提供する駆動具７についてそれぞれベースホール５２及びカバーホール６２に収容された円柱体７１、７２が設けられ、前記両円柱体７１、７２の直径及びそれぞれの中心軸線の位置はいずれも同じではない。前記駆動具７は工具の補助で（例え、インラインドライバなど）一定の回転によりカバー６を駆動してベース５との間の相対位置を変えることになる。この過程において、カバー６に組付けられたチップピン（図示せず）は、最初の端子孔５１の内部に収容されて端子に当接しない状態から、カバー６が端子方向にスライドされ、それに当接して導通させるとともに、ゼロ挿入力（Ｚｅｒｏ　Ｉｎｓｅｒｔｉｏｎ　Ｆｏｒｃｅ，　ＺＩＦ）の組付け効果を達成することになる。
【０００５】
【発明が解決しようとする課題】
ところが、前記従来のゼロ挿入力ソケットコネクタは、相応した作動状態のレコグニションユニットを設置しないため、ユーザーは該コネクタがオフかあるいはオンか判断しにくく、端子が電気的に導通するかどうかも解らず、さらにユーザーの操作に不便だった。従来の当業者は当該コネクタの機構を改良し、駆動具７の円柱体７２を適宜に延長し、かつ該円柱体７２の側壁の頂端部から外部へカバー６の上方に突出した突部が延出され、前記駆動具７を回転駆動してカバー６がベース５に相対してスライドした場合に、突部もそれについて転動し、この突部の位置により電気的に導通するかどうかを識別している。当該コネクタは使用するに際して、チップが作動している時、いつも適宜な温度を保持することを保証するために、ＣＰＵチップを組付けた後、常にラジエータを加え付ける必要がある。しかし、ラジエータ及び係合装置が組付けられた後、常に前記駆動具７を被覆して、駆動具７に設けられた突部を観察できないので、該突部の位置により電気的に導通状態を識別することができなかった。
【０００６】
前記問題を鑑みて、確実にゼロ挿入力ソケットコネクタの前記機構を改善する必要がある。
【０００７】
本発明はゼロ挿入力ソケットコネクタを提供し、ラジエータを加え付けた後、電気的に導通の作動状態を便利に識別できることを目的とする。
【０００８】
【課題を解決するための手段】
一種のゼロ挿入力ソケットコネクタは、ベースと、カバーと、複数の導電端子と、駆動装置及び状態表示具を含む。前記ベースは互いに分離されてその中を貫通した端子収容穴が設けられ、前記カバーはベースに摺動可能に組付けられ、前記複数のスルーホールはその中を貫通してそれぞれベースの端子収容穴に位置合せ、前記駆動装置はカバーを駆動してベースに対し移動させ、前記状態表示具はコネクタに駆動装置を設けた同一側に組付けられ、この駆動装置と連動の可能に構成し、少なくとも駆動装置の連動によりソケットコネクタのカバーの辺縁を突出できた延伸部を含み、該延伸部を介してラジエータを加え付けた後、ユーザーとしてソケットコネクタの作動状態の判断に有利するとともに、当該コネクタは伝統のコネクタに状態表示具を加え付けるので、機構が簡単で、作成のコストが低く、かつ性能も信頼できるものである。
【０００９】
【実施の形態】
図２に示すように、本発明のゼロ挿入力ソケットコネクタ１は、中央処理裝置（ＣＰＵ）チップを搭載してプリントボードに接合され、チップピンとプリントボードの回路を電気的接続させ、ベース１０、カバー２０、複数の導電端子（図示せず）、駆動装置３０及び状態表示具４０などの部材を含む。
【００１０】
前記ベース１０は絶縁材料からなり略矩形板状に形成された本体１１を含み、複数の互いに分離した端子収容穴１２はベース１０の本体１１中を垂直に貫通し、別々に複数の端子を対応し収容する。ベース１０の一端部に矩形プラットホーム１３が延設され、該プラットホームの中間部に略だ円形を呈すベースホール１４が設けられる。
【００１１】
前記カバー２０はベース１０に摺動可能に組付けられ、絶縁材料である略方形を呈す本体２１を含み、複数のスルーホール２２はカバー２０の本体２１を垂直に貫通しそれぞれベース１０の端子収容穴１２に位置を合せる。ベース１０のプラットホーム１３に対応したカバー２０の一端部からフランジ２３が延設され、フランジ２３の上表面２３１の中央位置に下方へ窪んで円形スロット２４を形成し、スロット２４の底面２４１から下方へフランジ２３の下部を貫通し直径がスロット２４より小さく、ベースホール１４に対応し連通されたカバーホール２５が設置される。フランジ２３の一角部に一部が削られて第一凹部２６を形成し、この底面２６１が前記スロット２４の下表面２４１と同一平面に位置し、かつ互いに連通され、フランジ２３の上表面２３１と第一凹部２６の底面２６１とは壁２７、２８により接続され、前記壁２７、２８はいずれもフランジ２３の上表面２３１に垂直である。壁２８のスロット２４の溝壁２４２の一側に切欠２８１を形成する。フランジ２３の下部にベース１０のプラットホーム１３を収容するための第二凹部２９を形成する。
【００１２】
前記駆動装置３０は上方から下方へ一体に接続し、直径が順に減小する円柱体状に形成された第１柱体３１、第２柱体３３、第３柱体３４及び第４柱体３５を含み、前記第１柱体３１の上面に工具収容孔３１１が凹設され、そこで工具の補助を介して（例え、インラインドライバなど）駆動装置３０を回転できる。第１柱体３１の側壁は突部３２が突設され、該突部３２の上端面が第１柱体３１の上面と整列され、高さは第１柱体３１の高さより略大きく形成されている。第１柱体３１は第２柱体３３と共軸に設置され、前記第３柱体３４は第４柱体３５と共軸に設置され、前記第３柱体３４と第１柱体３１間は偏心に設置される。前記第１柱体３１、第２柱体３３、第３柱体３４はそれぞれカバー２０のスロット２４、カバーホール２５及びベース１０のベースホール１４中に収容され、該第１柱体３１の突部３２の外側はスロット２４の内壁に沿って回動し、第２柱体３３はカバーホール２５内で回動し、第３柱体３４は回動しながらカバー２０を駆動してベース１０に相対した前後方向に平行摺動し、カバー２０を第１位置と第２位置間で移動させ、第１位置の場合、該ゼロ挿入力ソケットコネクタがオフし、即ち、中央処理裝置（ＣＰＵ）モジュールのピンとコネクタの導電端子を離脱させ、第２位置の場合、該ゼロ挿入力ソケットコネクタがオンし、中央処理裝置（ＣＰＵ）モジュールのピンとコネクタの導電端子を電気的に接続させる。第４柱体３５はベースホール１４を貫通してベース１０の底側面にリベットチップ（図示せず）と接合することによって、駆動装置３０をカバー２０及びベース１０に組付け適当な位置決めすることになる。
【００１３】
図３を参照する。状態表示具４０は駆動装置の第１柱体３１をカバー２０のスロット２４に圧設し、第２柱体３３の外側面に取り付けた環形スペーサ４１を含む。該スペーサ４１に一部が削られてセクタ切欠４５を形成し、本実施例のセクタの切欠は略９０°角に形成される。前記スペーサ４１の外側に接続部４６が一体に延出され、該接続部４６の末端に略上方へ折曲して延伸部４２を形成し、接続部４６の両側からそれぞれ垂直に上方へそれぞれ別々に前記切欠２８１及び壁２７を押圧するための狭い第一押圧部４３及びこの第一押圧部４３よりも広い第二押圧部４４が延出される。
【００１４】
取付けるに際して、まずカバー２０をベース１０に組付け、状態表示具４０のスペーサ４１をカバー２０のスロット２４に収容し、この時に延伸部４２は第一凹部２６内に位置された後、該駆動装置３０を上方から下方へカバー２０及びベース１０に組み込み、当該第２柱体３３はカバー２０のカバーホール２５に収容され、最後に、円環状リベットチップ（図示せず）により駆動装置３０の第４柱体３５をリベット接合することによって、駆動装置３０をカバー２０及びベース１０に安定して締結することになる。駆動装置３０と状態表示具４０との嵌合関係は図３に示すように、駆動装置３０の第２柱体３３は状態表示具４０の環形スペーサ４１中に組み込み、かつ該スペーサ４１は第１柱体３１の下方に圧設され、突部３２はスペーサ４１の切欠４５の対向する端面４５１、４５２の間に位置される。
【００１５】
図４及び図５に示すように、駆動装置３０はソケットコネクタ１を第１位置に位置させるとともに、カバー２０を最も先端に位置させ、図４に示すように、ベース１０のプラットホーム１３の端部はカバー２０の第二凹部２９の端部と一致させる。この場合、状態表示具の端面４５２は突部３２と接触され、前記押圧部４３は壁２８の切欠２８１に押圧され、延伸部４２はカバーの第一凹部２６内に位置する。駆動装置３０を回転して、カバー２０をベース１０に相対し摺動させ、突部３２の側面３２１は状態表示具４０の他の端面４５１を押圧し、状態表示具４０を連動して一緒に回転させ、駆動装置３０をソケットコネクタ１の第２位置まで回転させるとともに、図６及び図７に示すように、状態表示具４０の押圧部４４は壁２７を押圧し、延伸部４２はカバーの第二凹部２９外部に延出されることになる。前記第３柱体３４と第１柱体３１間は偏心に設置されているために、ベース１０のプラットフォーム１３の端部は、第２凹部２９から突出する。この場合、ソケットコネクタ１はオンし、即ち、ＣＰＵチップモジュール（図示せず）のピンとコネクタの導電端子をもう電気的に導通されている。当該状態表示具の延伸部４２により、ソケットコネクタ１はラジエータ及び係合装置を加え付けても、ユーザーも延伸部４２が露出するかどうかによりソケットコネクタ１の作動状態を判断することができる。
【００１６】
前記は単なる本願のより良い実施の形態にすぎず、その特許請求の範囲を限定するものではなく、また、本発明の技術を熟知しているものが本発明に基づきなしうる細部の変更或は修正は、いずれも本発明の特許請求の範囲に属するものとする。
【図面の簡単な説明】
【図１】従来のゼロ挿入力ソケットコネクタの立体分解図。
【図２】本発明に係るゼロ挿入力ソケットコネクタの立体分解図。
【図３】本発明に係るゼロ挿入力ソケットコネクタの駆動装置と状態表示具との組合せの斜視図。
【図４】本発明に係るゼロ挿入力ソケットコネクタのカバーが第１位置に位置した場合、状態表示具とカバーとベースが互いに嵌合された立体斜視図。
【図５】図４に示すコネクタの平面斜視図。
【図６】本発明に係るゼロ挿入力ソケットコネクタのカバーが第２位置に位置した場合、状態表示具とカバーとベースが互いに嵌合された立体斜視図。
【図７】図６に示すコネクタの平面見取図。
【符号の説明】
１　　　ソケットコネクタ
１０　　ベース
１１、２１　　本体
１２　　端子収容穴
１３　　プラットホーム
１４　　ベースホール
２０　　カバー
２２　　スルーホール
２３　　フランジ
２３１　　上表面
２４　　　円柱形スロット
２４１、２６１　　底面
２４２　　溝壁
２５　　カバーホール
２６　　第一凹部
２６１　　底面
２７、２８　　壁
２８１　　　切欠
２９　　第二凹部
３０　　駆動装置
３１　　第１柱体
３１１　　工具収容孔
３２　　突部
３３　　第２柱体
３４　　第３柱体
３５　　第４柱体
４０　　状態表示具
４１　　スペーサ
４２　　延伸部
４３、４４　　押圧部
４５　　セクタ切欠
４５１、４５２　　断面
４６　　接続部
【図１】
2004139760.tif 000003
【図２】
2004139760.tif 000004
【図３】
2004139760.tif 000005
【図４】
2004139760.tif 000006
【図５】
2004139760.tif 000007
【図６】
2004139760.tif 000008
【図７】
2004139760.tif 000009